(57)【要約】      （修正有）【課題】複雑なアダプタ構造が必要になる問題に対する改善法を提供すること。【解決手段】車両のボディ１６に対して可動な車両パーツ１８のための、特に車両ドア又は車両パネルのための調節デバイス１２であって、駆動ユニット２３と、上位組立体に、車両のボディ１６又は可動な車両パーツ１８に駆動組立体２２を接続するための接続ユニット２８と、を備える駆動組立体２２と、駆動ユニット２３によって駆動組立体２２に対して移動することができる調節要素２４であって、調節要素２４が、調節要素２４の自由端において、可動な車両パーツ１８又は車両のボディ１６に調節要素２４を接続するためのさらなる接続ユニット２６を備える、調節要素２４と、を備える、調節デバイスにおいて、１つの接続ユニット２８が、駆動組立体２２の自由端から離れているポイントにおいて駆動組立体２２に接続されている。【選択図】図１
2018108809.tif 000002
【特許請求の範囲】
【請求項１】
車両のボディ（１６）に対して可動な車両パーツ（１８）のための、特に車両ドア又は車両パネルのための調節デバイス（１２）であって、
−  駆動ユニット（２３）及び接続ユニット（２８）を備える駆動組立体（２２）であって、前記接続ユニット（２８）が、上位組立体に、言い換えれば前記調節デバイス（１２）のパーツではない組立体に、すなわち前記車両の前記ボディ（１６）又は前記可動な車両パーツ（１８）に前記駆動組立体（２２）を接続するように構成されている、駆動組立体（２２）と、
−  前記駆動ユニット（２３）によって前記駆動組立体（２２）に対して移動することができる調節要素（２４）であって、前記調節要素（２４）が、前記調節要素（２４）の自由端において、上位組立体に、言い換えれば前記調節デバイスのパーツではない組立体に、すなわち前記可動な車両パーツ（１８）又は前記車両の前記ボディ（１６）に前記調節要素（２４）を接続するように構成されたさらなる接続ユニット（２６）を備える、調節要素（２４）と、
を備える、調節デバイスにおいて、
１つの接続ユニット（２８）が、前記駆動組立体（２２）の自由端から離れているポイントにおいて前記駆動組立体（２２）に接続されていることを特徴とする調節デバイス（１２）。
【請求項２】
１つの接続ユニット（２８）が、前記駆動組立体が前記調節要素（２４）と相互作用する、前記駆動組立体（２２）の端部に配置されていることを特徴とする請求項１に記載の調節デバイス（１２）。
【請求項３】
前記１つの接続ユニット（２８）の回動軸（３０）が、前記調節要素（２４）の調節軸（Ａ）に対して斜めとなるように延びていることを特徴とする請求項１又は２に記載の調節デバイス（１２）。
【請求項４】
前記１つの接続ユニット（２８）の回動軸（３０）が、前記調節要素（２４）の調節軸（Ａ）と交差することを特徴とする請求項１又は２に記載の調節デバイス（１２）。
【請求項５】
前記調節デバイス（１２）が、スピンドル駆動部として形成されていることを特徴とする請求項１から４のいずれか一項に記載の調節デバイス（１２）。
【請求項６】
１つの接続ユニット（２８）が、前記駆動組立体（２２）と一体的に接続、例えば溶接又は接着されるか、又は前記駆動組立体と一体部品で形成されていることを特徴とする請求項１から５のいずれか一項に記載の調節デバイス（１２）。
【請求項７】
前記車両の前記ボディ（１６）に対して、可動な車両パーツ（１６）、特に車両ドア又は車両パネルを調節するための、請求項１から６のいずれか一項に記載の調節デバイス（１２）の使用。
【発明の詳細な説明】
【技術分野】
【０００１】
本発明は、車両のボディに対して可動な車両パーツのための、特に車両ドア又は車両パネルのための調節デバイスであって、駆動ユニット及び接続ユニットを有する駆動組立体であって、接続ユニットが、上位組立体に、言い換えれば調節デバイスのパーツではない組立体に、すなわち車両のボディ又は可動な車両パーツに駆動組立体を接続するように構成されている、駆動組立体と、駆動ユニットにより駆動組立体に対して移動することができる調節要素であって、調節要素の自由端において、上位組立体に、言い換えれば調節デバイスのパーツではない組立体に、すなわち可動な車両パーツ又は車両のボディに調節要素を接続するように構成されたさらなる接続ユニットを備える、調節要素と、を備える、調節デバイスに関する。
【背景技術】
【０００２】
初めに述べたタイプの調節デバイスは、一般的に、従来技術から、例として、車両ドア又は車両パネル、例えばトランクの蓋、エンジン区画の蓋、テールゲート又は同様のものを開閉するスピンドル駆動部の形態で公知である。これら調節デバイスの場合には、例えばボールソケットによって形成された２つの接続ユニットが、通常、調節要素の自由端及び駆動組立体に、言い換えれば前記要素を調節するために駆動組立体が調節要素と相互作用するポイントから最も遠い位置又は調節要素が駆動組立体から出てくるポイントから最も遠い位置にそれぞれ配置されている。ここでの欠点は、車両ボディ又は可動な車両パーツに接続するために設けられたこれら接続ポイントが、しばしば、車両ボディ上又は可動な車両パーツ上で自動車の設計者によって提供される結合ポイントに一致せず、従って、例えばより大きい剛性を有するさらなるパネルを使用する、複雑なアダプタ構造が必要になることである。これらさらなるアダプタ構造は、高価なだけでなく、大きな設置空間も占める。
【発明の概要】
【発明が解決しようとする課題】
【０００３】
従って、本発明の目的は、この問題に対する改善法を提供することである。
【課題を解決するための手段】
【０００４】
この目的は、１つの接続ユニットが駆動組立体の自由端から離れているポイントにおいて駆動組立体に接続されている、初めに述べたタイプの調節デバイスによって、本発明により達成される。
【０００５】
本発明による調節デバイスは、従来技術の調節デバイスとは異なって調節デバイスの全長が２つの接続ユニットの間で延在しないので、２つの接続ユニットの間の距離が前記ユニットの全長よりも短いという利点を有する。駆動ユニット上での１つの接続ユニットの位置は、組立体設計者の仕様に従って任意に選択されてよい。従って、さらなる構成要素、例えば支持プレートを省略することが可能になる。
【０００６】
この段階で、本発明による調節デバイスは、車両ドア又は車両パネル、例えばトランクの蓋、エンジン区画の蓋、テールゲート又は同様のものを開閉するための可動な車両パーツとして使用することもできることに留意されたい。
【０００７】
有利には、１つの接続ユニットが、前記駆動組立体が調節要素と相互作用する、駆動組立体の端部に配置するか、又は調節要素が駆動組立体から出てくる、駆動組立体の端部に配置することができる。このようにして、２つの接続ユニット、言い換えれば１つの接続ユニット及びさらなる接続ユニットを互いから最小距離に位置決めすることが可能である。
【０００８】
本発明による調節デバイスの発展では、１つの接続ユニットの回動軸が、調節要素の調節軸に対して斜めとなるように延びることができる。これは、接続ユニットであって、例えば当該接続ユニットの回動軸が、調節要素の調節軸に対して略直角に且つ駆動ユニットの外側管に対しておよそ接線方向に延びる、接続ユニットによって実施することができる。
【０００９】
あるいは、１つの接続ユニットの回動軸が、調節要素の調節軸と交差してもよい。これは、特に、１つの接続ユニットが、駆動ユニットの外側管の一側又は両側に配置される接続ユニットであって、当該接続ユニットの回動軸が駆動ユニットの外側管に対して略径方向に向けられている、接続ユニットによって形成される場合である。
【００１０】
調節デバイスは、例えばスピンドル駆動部であってもよい。
【００１１】
あるいは、調節デバイスは、当然ながら、液圧式及び／又は空気圧式で動作される駆動部であってもよい。
【００１２】
有利には、１つの接続ユニットが、駆動組立体と一体的に接着、例えば溶接又は接着されるか、又は駆動組立体と一体部品で形成されてもよい。このようにして、さらなる接続要素が省略され、従って、本発明による調節デバイスの必要とされる設置空間及びコストをさらに減少させることができる。特に、１つの接続ユニットを駆動組立体とともに一体的にする構成は、駆動組立体の変形、ひいては複雑な問題、例えば位置決めの不正確性又は摩耗の増大を減少させるか、又は完全に防止することができる。
【００１３】
別の側面によれば、本発明は、車両のボディに対して、可動な車両パーツ、特に車両ドア又は車両パネルを調節するための、本発明による調節デバイスの使用に関する。
【００１４】
本発明は、実施形態を用いて且つ添付の図面を参照して、以下でより詳細に説明される。
【図面の簡単な説明】
【００１５】
【図１】延伸位置にある、本発明による調節デバイスの概略断面図である。
【図２】格納位置にある、図１の調節デバイスの概略断面図である。
【図３】図１及び図２の調節デバイスの運動経路の概略図である。
【図４】駆動組立体上で中央に配置された接続ユニットを有する本発明による調節デバイスの運動経路の概略図である。
【発明を実施するための形態】
【００１６】
図１は、上位組立体１４上での調節デバイス１２の装置１０を示す。この概略的な図では、上位組立体１４は、メイン要素１６、例えば車両ボディと、メイン要素１６に対して運動する要素１８、例えば車両のテールゲートと、を備えている。運動要素１８は、ジョイント２０によってメイン要素１６に接続されている。
【００１７】
調節デバイス１２は、駆動ユニット２３（図示せず）を有する駆動組立体２２及び調節要素２４を備えている。調節要素２４は、駆動ユニット２３により調節軸Ａに沿って駆動組立体２２に対して軸方向に移動することができ、このため、調節要素２４の自由端は、駆動組立体２２から離れるように又は駆動組立体２２に向かって移動することができる。調節デバイス１２は、例えば、スピンドル駆動部の形態にあり、駆動組立体２２は、電気モータとして形成された駆動ユニット２３と、スピンドルナットと、を備え、調節要素２４は、スピンドルを備えている。スピンドルナットの回転方向に依存して、スピンドルナットとねじ係合しているスピンドル、言い換えれば調節要素２４は、駆動組立体２２の外に又は駆動組立体２２内に移動させられ、従って、調節デバイス１２の全長は、対応して増大又は減少する。
【００１８】
調節要素２４は、調節要素２４の自由端において、ジョイント接続部２６、例えばボールジョイントによって運動要素１８に接続されている。
【００１９】
駆動組立体２２は、駆動組立体２２の端部において接続ユニット２８を備え、当該端部では、調節要素２４が駆動組立体２２から出てくるか、又は調節要素２４が駆動組立体２２を離れる。接続ユニット２８は、上位組立体１４のメイン要素１６に接続され、このため、メイン要素１６に対する回動軸３０周りでの駆動組立体２２の回動運動、言い換えれば調節要素２２の回動運動は可能にされる。
【００２０】
図１では、調節デバイス１２が、調節デバイス１２の最大長さで示されており、このため、運動要素１８は、メイン要素１６に対してできるだけ外に回動されている。
【００２１】
図２では、調節デバイス１２が、調節デバイス１２の最小長さにある状態で示されており、言い換えれば、調節要素２４は、駆動組立体２２内にできるだけ格納されている。従って、運動要素１８は、メイン要素１６にできるだけ近づくようにメイン要素１６に対して移動させられている。
【００２２】
調節デバイス１２は、ロック特性又はさらには自己ロック特性を有し、このため、運動要素１８は、調節要素１２を操作することなく、言い換えれば駆動組立体２２を操作することなくメイン要素１６に対して移動させられることが可能ではないか、又はこの移動は大きな作業によりのみ可能となる。
【００２３】
調節デバイス１２は、それ自体が公知な方法の力制限結合部及び／又はブレーキなどを備えてもよい。
【００２４】
図３は、図１及び図２の、調節デバイス１２及び上位組立体１４の２つの最大位置と、中間位置と、にある装置１０を示す。
【００２５】
図１に示されるメイン要素１６に対して運動要素１８の最大開放位置（破線参照）から進むと、調節要素２４も、駆動組立体２２から外にできるだけ延在された位置にある。
【００２６】
この場合、調節デバイス１２の向きは、関連する接続ユニット２６及び２８又は３０の２つの回動軸を通過する直線形に従う（破線で示される調節デバイス１２参照）。
【００２７】
運動要素１８は、図3において破線で示される、運動要素１８及び調節デバイス１２の中間位置を介して運動要素の閉鎖位置（実線参照）内に移動させられ、調節デバイス１２における実線によって示された向きは、この閉鎖位置と関連付けられる。
【００２８】
図３に示されるように、ジョイント接続部２６は、円形経路３２に従い、円形経路３２は、中心ポイントとしてのジョイント２０と、ジョイント接続部２６とジョイント２０との間の距離に相当する半径と、を有する。
【００２９】
図４は、装置１０’における図３と類似する図であり、装置１０’は、駆動組立体２２に対する接続ユニット２８’の位置のみが装置１０と異なっており、従って、装置１０’を説明するときに装置１０の説明を参照することができる。装置１０’の類似する部分には、装置１０の参照符号と同じ参照符号が提供されている。
【００３０】
図４に示される例では、接続ユニット２８’は、駆動組立体２２の長さのおよそ中央に配置されている。接続ユニット２８’は、調節デバイス１２がメイン要素１６に対する回動軸３４を備えるように駆動組立体２２の側面上に配置され、この軸は、調節要素２４の調節軸Ａに対して略垂直に且つ調節軸Ａに対して斜めに延びている。図４に示される例では、回動軸３４が、シートの平面に対して垂直にさらに延びている。
【００３１】
上位組立体１４上での調節デバイス１２の図４に示される配置は、メイン要素１６に対する運動要素１８の移動中に駆動組立体２２の自由端のより小さい移動をもたらす。
【００３２】
２つの接続ユニットの少なくとも一方が、“ピン及びソケット”の形態のスライド接続部として構成されてもよく、ピン及びソケットのどちらが駆動組立体２２に固定されるべきかは自由に選択することが可能であることが加味されるべきである。当然ながら、２つの接続ユニットの少なくとも一方が玉軸受、転がり軸受又は別の考えられる軸受を備えてもよい。
【符号の説明】
【００３３】
１２  調節デバイス、１６  ボディ、１８  車両パーツ、２２  駆動組立体、２３  駆動ユニット、２４  調節要素、２６  さらなる接続ユニット、２８  接続ユニット、３０  回動軸、Ａ  調節軸
【図１】
2018108809.tif 000003
【図２】
2018108809.tif 000004
【図３】
2018108809.tif 000005
【図４】
2018108809.tif 000006
【外国語明細書】
2018108809000001.pdf